(57)【特許請求の範囲】
【請求項１】
セルラ移動通信システムにおいて移動局として使用され、受信信号を基に検出されるセル（判定対象セル）が自装置と無線リンクを接続すべき有効セルであるか否かを判定する際、前記判定対象セルからの受信信号の受信電力レベルが所定の前方保護段数以上連続して所定の受信電力レベル閾値以上であれば前記判定対象セルを有効セルと判定し、有効セルと判定されているセルが再び前記判定対象セルとなる場合に前記判定対象セルからの受信信号の受信電力レベルが所定の後方保護段数以上連続して前記受信電力レベル閾値より小であれば前記判定対象セルを無効セルと判定する有効セル判定をなすセルサーチを実行する移動通信端末装置であって、
自装置の移動状態が停止／低速移動状態である場合、前記後方保護段数を所定値だけ増加せしめ、自装置の移動状態が高速移動状態である場合、前記前方保護段数を所定値だけ減少せしめる判定条件制御手段を含むことを特徴とする移動通信端末装置。
【請求項２】
前記判定条件制御手段は、前記有効セル判定により有効セルと判定されているセルの連続有効判定時間又は連続有効判定回数を前記有効セル判定の判定結果を基に求め、この連続有効判定時間又は連続有効判定回数に応じて前記移動状態を識別することを特徴とする請求項１記載の移動通信端末装置。
【請求項３】
前記判定条件制御手段は、前記連続有効判定時間又は連続有効判定回数が所定の閾値より大であれば前記移動状態を停止／低速移動状態と認識し、前記連続有効判定時間又は連続有効判定回数が前記閾値より小でありかつ過去の前記連続有効判定時間又は連続有効判定回数の平均が所定の閾値より小であれば、前記移動状態を高速移動状態と認識することを特徴とする請求項２記載の移動通信端末装置。
【請求項４】
前記判定条件制御手段は、前記判定対象セルからの受信信号の受信品質に応じて前記移動状態を識別することを特徴とする請求項１記載の移動通信端末装置。
【請求項５】
前記判定条件制御手段は、前記受信品質が所定の閾値より大であれば前記移動状態を停止／低速移動状態と認識し、前記受信品質が前記閾値より小さい所定の閾値より小であれば前記移動状態を高速移動状態と認識することを特徴とする請求項４記載の移動通信端末装置。
【請求項６】
セルラ移動通信システムにおいて移動局として使用され、受信信号を基に検出されるセル（判定対象セル）が自装置と無線リンクを接続すべき有効セルであるか否かを判定する際、前記判定対象セルからの受信信号の受信電力レベルが所定の前方保護段数以上連続して所定の受信電力レベル閾値以上であれば前記判定対象セルを有効セルと判定し、有効セルと判定されているセルが再び前記判定対象セルとなる場合に前記判定対象セルからの受信信号の受信電力レベルが所定の後方保護段数以上連続して前記受信電力レベル閾値より小であれば前記判定対象セルを無効セルと判定する有効セル判定をなすセルサーチを実行する移動通信端末装置のセルサーチ制御方法であって、
自装置の移動状態が停止／低速移動状態である場合、前記後方保護段数を所定値だけ増加せしめ、自装置の移動状態が高速移動状態である場合、前記前方保護段数を所定値だけ減少せしめる判定条件制御ステップを含むことを特徴とするセルサーチ制御方法。
【請求項７】
前記判定条件制御ステップは、前記有効セル判定により有効セルと判定されているセルの連続有効判定時間又は連続有効判定回数を前記有効セル判定の判定結果を基に求め、この連続有効判定時間又は連続有効判定回数に応じて前記移動状態を識別することを特徴とする請求項６記載のセルサーチ制御方法。
【請求項８】
前記判定条件制御ステップは、前記判定対象セルからの受信信号の受信品質に応じて前記移動状態を識別することを特徴とする請求項６記載のセルサーチ制御方法。
【請求項９】
セルラ移動通信システムにおいて移動局として使用され、受信信号を基に検出されるセル（判定対象セル）が自装置と無線リンクを接続すべき有効セルであるか否かを判定する際、前記判定対象セルからの受信信号の受信電力レベルが所定の前方保護段数以上連続して所定の受信電力レベル閾値以上であれば前記判定対象セルを有効セルと判定し、有効セルと判定されているセルが再び前記判定対象セルとなる場合に前記判定対象セルからの受信信号の受信電力レベルが所定の後方保護段数以上連続して前記受信電力レベル閾値より小であれば前記判定対象セルを無効セルと判定する有効セル判定をなすセルサーチを実行する移動通信端末装置のセルサーチ制御方法をコンピュータに実行させるためのプログラムであって、
自装置の移動状態が停止／低速移動状態である場合、前記後方保護段数を所定値だけ増加せしめ、自装置の移動状態が高速移動状態である場合、前記前方保護段数を所定値だけ減少せしめる判定条件制御ステップを含むことを特徴とするプログラム。
【請求項１０】
前記判定条件制御ステップは、前記有効セル判定により有効セルと判定されているセルの連続有効判定時間又は連続有効判定回数を前記有効セル判定の判定結果を基に求め、この連続有効判定時間又は連続有効判定回数に応じて前記移動状態を識別することを特徴とする請求項９記載のプログラム。
【請求項１１】
前記判定条件制御ステップは、前記判定対象セルからの受信信号の受信品質に応じて前記移動状態を識別することを特徴とする請求項９記載のプログラム。
【発明の詳細な説明】
【０００１】
【発明の属する技術分野】
本発明は移動通信端末装置及びそのセルサーチ制御方法並びにプログラムに関し、特にセルラ移動通信システムに用いられセルサーチを行う移動通信端末装置に関する。
【０００２】
【従来の技術】
ＣＤＭＡ(Code Division Multiple access) 方式を採用したセルラ移動通信システムにおいて、移動局は複数セルと通信することによりハンドオーバーを行い、移動通信環境下でも途切れることのない通信を実現している。この機能はＣＤＭＡ通信の重要な利点の１つであり、移動局は適切なセルサーチを行うことが重要である。
【０００３】
【発明が解決しようとする課題】
移動体通信では、一般的に、移動局の通信対象セルは順次変更される。しかし、セルサーチにおいて、移動局が無線リンクを接続すべきセル（有効セル）の判定を誤ると、移動局はセルサーチにおいて誤って有効セルと判定されたセルと無線リンクを接続し通信を行うことになるので、通信品質が劣化してしまう。そして、この通信品質の劣化のために移動局はその送信電力を強くする必要が生じるので、消費電力が増大してしまう。
【０００４】
本発明の目的は、良好な通信品質を保持し消費電力を低減することができる移動通信端末装置及びその制御方法並びにプログラムを提供することである。
【０００５】
【課題を解決するための手段】
本発明による移動通信端末装置は、セルラ移動通信システムにおいて移動局として使用され、受信信号を基に検出されるセル（判定対象セル）が自装置と無線リンクを接続すべき有効セルであるか否かを判定する際、前記判定対象セルからの受信信号の受信電力レベルが所定の前方保護段数以上連続して所定の受信電力レベル閾値以上であれば前記判定対象セルを有効セルと判定し、有効セルと判定されているセルが再び前記判定対象セルとなる場合に前記判定対象セルからの受信信号の受信電力レベルが所定の後方保護段数以上連続して前記受信電力レベル閾値より小であれば前記判定対象セルを無効セルと判定する有効セル判定をなすセルサーチを実行する移動通信端末装置であって、自装置の移動状態が停止／低速移動状態である場合、前記後方保護段数を所定値だけ増加せしめ、自装置の移動状態が高速移動状態である場合、前記前方保護段数を所定値だけ減少せしめる判定条件制御手段を含むことを特徴とする。
【０００６】
前記移動通信端末装置において、前記判定条件制御手段は、前記有効セル判定により有効セルと判定されているセルの連続有効判定時間又は連続有効判定回数を前記有効セル判定の判定結果を基に求め、この連続有効判定時間又は連続有効判定回数に応じて前記移動状態を識別することを特徴とする。
【０００８】
また、前記移動通信端末装置において、前記判定条件制御手段は、前記判定対象セルからの受信信号の受信品質に応じて前記移動状態を識別することを特徴とする。
【００１０】
本発明によるセルサーチ制御方法は、セルラ移動通信システムにおいて移動局として使用され、受信信号を基に検出されるセル（判定対象セル）が自装置と無線リンクを接続すべき有効セルであるか否かを判定する際、前記判定対象セルからの受信信号の受信電力レベルが所定の前方保護段数以上連続して所定の受信電力レベル閾値以上であれば前記判定対象セルを有効セルと判定し、有効セルと判定されているセルが再び前記判定対象セルとなる場合に前記判定対象セルからの受信信号の受信電力レベルが所定の後方保護段数以上連続して前記受信電力レベル閾値より小であれば前記判定対象セルを無効セルと判定する有効セル判定をなすセルサーチを実行する移動通信端末装置のセルサーチ制御方法であって、自装置の移動状態が停止／低速移動状態である場合、前記後方保護段数を所定値だけ増加せしめ、自装置の移動状態が高速移動状態である場合、前記前方保護段数を所定値だけ減少せしめる判定条件制御ステップを含むことを特徴とする。
【００１１】
本発明によるプログラムは、セルラ移動通信システムにおいて移動局として使用され、受信信号を基に検出されるセル（判定対象セル）が自装置と無線リンクを接続すべき有効セルであるか否かを判定する際、前記判定対象セルからの受信信号の受信電力レベルが所定の前方保護段数以上連続して所定の受信電力レベル閾値以上であれば前記判定対象セルを有効セルと判定し、有効セルと判定されているセルが再び前記判定対象セルとなる場合に前記判定対象セルからの受信信号の受信電力レベルが所定の後方保護段数以上連続して前記受信電力レベル閾値より小であれば前記判定対象セルを無効セルと判定する有効セル判定をなすセルサーチを実行する移動通信端末装置のセルサーチ制御方法をコンピュータに実行させるためのプログラムであって、自装置の移動状態が停止／低速移動状態である場合、前記後方保護段数を所定値だけ増加せしめ、自装置の移動状態が高速移動状態である場合、前記前方保護段数を所定値だけ減少せしめる判定条件制御ステップを含むことを特徴とする。
【００１２】
本発明の作用は次の通りである。移動局の移動状態が停止／低速移動状態であると認識されるならば、移動局と無線リンクを接続すべきであると判定されている有効セルがその後も有効セルとして保持されるように、受信信号を基に検出される判定対象セルが有効セルであるか否かを判定する有効セル判定の判定条件を制御する。一方、移動局の移動状態が高速移動状態であると認識されるならば、移動局と無線リンクを接続すべきであると判定されている有効セル以外のセルが有効セルとして追加されるように、有効セル判定の判定条件を制御する。
【００１３】
このように、移動局の移動状態に応じてセルサーチにおける有効セル判定の判定条件を制御することにより、通信品質の劣化を抑制し消費電力を低減することが可能となる。
【００１４】
【発明の実施の形態】
本発明の実施例について説明する前に、ＣＤＭＡ方式を採用したセルラ移動通信システムにおける移動局のセルサーチ方法について図面を用いて説明する。図６はセルラ移動通信システムにおける移動局の復調回路の一部（セルサーチを行うセルサーチ処理部）の構成を示す図である。図６において、セルサーチ処理部は、遅延プロファイル計算部１と、拡散コード・拡散タイミング検出部２と、拡散コード生成部３と、有効セル判定部４とを有している。
【００１５】
図６において、直交検波され復調されたＩ成分信号及びＱ成分信号はそれぞれ遅延プロファイル計算部１に入力される。遅延プロファイル計算部１は、拡散コード生成部３が拡散コード・拡散タイミング検出部２の検出結果に基づいて順次生成する複数の候補拡散コードの各々と入力信号との相関検出を順次行うことにより遅延プロファイルを計算する。
【００１６】
すなわち、遅延プロファイル計算部１は、複数の候補拡散コードの各々と受信信号中の同期チャネル(SCH : Synchronization Channel) がコード多重された共通パイロットチャネル(CPICH : Common Pilot Channel)との相関検出を順次行うことにより遅延プロファイルを計算する。また、遅延プロファイル計算部１は、求められた遅延プロファイルを拡散コード・拡散タイミング検出部２及び有効セル判定部４へ出力する。
【００１７】
拡散コード・拡散タイミング検出部２は、遅延プロファイル計算部１により求められた遅延プロファイルから相関ピークレベルをサーチすることによって拡散コード及び拡散タイミングを検出する。また、拡散コード・拡散タイミング検出部２は、検出された拡散コード及び拡散タイミングを有効セル判定部４に通知する。
【００１８】
有効セル判定部４は、遅延プロファイル計算部１により求められた遅延プロファイルを基に、拡散コード・拡散タイミング検出部２より通知された拡散コード(Scrambling Code) が示すセル（判定対象セル）からの受信信号の受信電力レベル（相関ピーク電力レベル）を計算する。また、有効セル判定部４は、求められた受信電力レベルと所定の閾値とを比較することにより、受信信号を基に検出された判定対象セルが移動局と無線リンクを接続すべきセル（有効セル）であるか否かを判定する。また、有効セル判定部４は、判定をなす度にその判定結果をセル移行処理を制御するセル移行制御部（図示せず）に通知すると共に、判定結果を保持する。
【００１９】
なお、セルラ移動通信システムにおける基地局が複数の指向性アンテナを用いてセクタ化されている場合は、個々のセクタのことをセルと称するものとする。
【００２０】
次に、図６に示した有効セル判定部４における有効セルの判定方法について図面を用いて説明する。図２は図６に示した有効セル判定部４の動作を示すフローチャートであり、また、後述する図１に示した有効セル判定部４の動作を示すフローチャートでもある。
【００２１】
図２及び６において、有効セル判定部４は、まず、遅延プロファイル計算部１により計算された遅延プロファイルを用いて、判定対象セルの共通パイロットチャネルの受信電力レベルＰrxを計算する（ステップＳ１１）。次に、求められた受信電力レベルＰrxは所定の受信電力レベル閾値Ｐthと比較される（ステップＳ１２）。
【００２２】
受信電力レベルＰrxが閾値Ｐth以上であれば（ステップＳ１２，Ｙｅｓ）、有効セル判定部４は、保持されている判定結果を参照することにより、判定対象セルが既に有効セルと判定されているか否かを判断する（ステップＳ１３）。判定対象セルが既に有効セルと判定されているならば（ステップＳ１３，Ｙｅｓ）、有効セル判定部４は、判定対象セルを有効セルと判定し、この判定結果を保持すると共にセル移行制御部に通知し、この判定対象セル用の無効判定カウントをリセットする（ステップＳ１４）。
【００２３】
ステップＳ１３において、判定対象セルが有効セルと判定されていなかったならば（ステップＳ１３，Ｎｏ）、有効セル判定部４は、この判定対象セル用の有効判定カウントを１つインクリメントし（ステップＳ１５）、有効判定カウント値と所定の前方保護段数Ｎとを比較する（ステップＳ１６）。
【００２４】
判定対象セルの有効判定カウント値が前方保護段数Ｎ以上であれば（ステップＳ１６，Ｙｅｓ）、判定対象セルの共通パイロットチャネルの受信電力レベルＰrxがＮ回以上連続して閾値Ｐth以上のレベルであることになるので、有効セル判定部４は、判定対象セルを有効セルと判定し、この判定結果を保持すると共にセル移行制御部に通知する（ステップＳ１７）。また、有効セル判定部４は、この判定対象セル用の有効判定カウント及び無効判定カウントをリセットする（ステップＳ１７）。
【００２５】
ステップＳ１６において、判定対象セルの有効判定カウント値が前方保護段数Ｎより小であれば（ステップＳ１６，Ｎｏ）、有効セル判定部４は、判定対象セルを有効セルと判定せず有効セル候補と判定し、この判定結果を保持すると共にセル移行制御部に通知する（ステップＳ１８）。なお、有効セル判定部４は、この判定対象セル用の有効判定カウントをリセットせずに、この判定対象セルが再び判定対象セルとなるときに用いるべくこの有効判定カウント値を保持しておく。
【００２６】
ステップＳ１２において、受信電力レベルＰrxが閾値Ｐth未満である場合（ステップＳ１２，Ｎｏ）、ステップＳ１３と同様に、有効セル判定部４は判定対象セルが既に有効セルと判定されているか否かを判断する（ステップＳ１９）。判定対象セルが既に有効セルと判定されているならば（ステップＳ１９，Ｙｅｓ）、有効セル判定部４は、この判定対象セル用の無効判定カウントを１つインクリメントし（ステップＳ２０）、その無効判定カウント値と所定の後方保護段数Ｍとを比較する（ステップＳ２１）。
【００２７】
判定対象セルの無効判定カウント値が後方保護段数Ｍより小であれば（ステップＳ２１，Ｙｅｓ）、既に有効セルと判定されている判定対象セルの共通パイロットチャネルの受信電力レベルＰrxはまだＭ回以上連続して閾値Ｐthを下回っていないので、有効セル判定部４は、判定対象セルを有効セルと判定し、この判定結果を保持すると共にセル移行制御部に通知する（ステップＳ２２）。なお、有効セル判定部４は、この判定対象セル用の無効判定カウントをリセットせずに、この判定対象セルが再び判定対象セルとなるときに用いるべくこの無効判定カウント値を保持しておく。
【００２８】
ステップＳ１９において、判定対象セルが有効セルと判定されていなかったならば（ステップＳ１９，Ｎｏ）、判定対象セルの受信電力レベルＰrxは閾値Ｐthを下回っており、かつ、判定対象セルは以前の判定で無効セルあるいは有効セル候補と判定されていることになるので、有効セル判定部４は、判定対象セルを無効セルと判定する（ステップＳ２３）。また、有効セル判定部４は、この判定結果を保持すると共にセル移行制御部に通知し、この判定対象セル用の有効判定カウントをリセットする（ステップＳ２３）。
【００２９】
ステップＳ２１において、判定対象セルの無効判定カウント値が後方保護段数Ｍ以上であれば（ステップＳ２１，Ｎｏ）、既に有効セルと判定されている判定対象セルの受信電力レベルＰrxがＭ回以上連続して閾値Ｐthを下回っていることになるので、有効セル判定部４は、判定対象セルを無効セルと判定し、この判定結果を保持すると共にセル移行制御部に通知する（ステップＳ２３）。
【００３０】
なお、あるセルが既に有効セルと判定されている場合に、すなわち、当該あるセルは有効セルであると認識されている場合に、別のセルが判定対象セルとなりステップＳ１７でこの判定対象セルが有効セルと判定された場合、有効セル判定部４は、当該あるセル及び当該別のセルの両方をそれぞれ有効セルと認識することになる。このように、有効セルが複数存在することになる場合がある。
【００３１】
以上説明したセルサーチにおける有効セルの判定方法では、有効セルの判定を誤ってしまい、通信品質が劣化し消費電力が増大してしまうことがある。例えば、既に有効セルと判定されている判定対象セルの受信電力レベルＰrxが、一時的な無線伝搬状況の変動により、Ｍ回以上連続して閾値Ｐthを下回ってしまう場合、この判定対象セルは有効セルではないと判定され無効セルと認識される。しかし、このような場合であっても、移動局の移動状態が停止／低速移動状態であるならば、すなわち、移動局が停止している、あるいは低速で移動しているのであれば、移動局はこの判定対象セル内に存在している可能性が高い。したがって、移動局が停止、あるいは低速で移動しているにもかかわらず、一時的な無線伝搬状況の変動によりこの判定対象セルを無効セルと判定することは、通信品質の劣化及び消費電力の増大につながる。
【００３２】
そこで、本発明では、移動局の移動状態を識別し、識別された移動局の移動状態に応じてセルサーチにおける有効セル判定の判定条件を可変制御することにより、有効セル判定の誤りを抑制して、良好な通信品質を保ち消費電力を低減する。
【００３３】
以下に、本発明の実施例について図面を用いて説明する。図１は本発明の実施例による移動通信端末装置の復調回路の一部（セルサーチを行うセルサーチ処理部）の構成を示す図であり、図６と同等部分は同一符号にて示している。また、図２は図１に示した有効セル判定部４の動作を示すフローチャートである。本発明の実施例による移動通信端末装置は、ＣＤＭＡ方式を採用したセルラ移動通信システムにおける移動局に適用されるものである。
【００３４】
図１に示したセルサーチ処理部は、遅延プロファイル計算部１と、拡散コード・拡散タイミング検出部２と、拡散コード生成部３と、有効セル判定部４と、判定条件制御部５とを有している。
【００３５】
有効セル判定部４は、図２に示したステップＳ１４，ステップＳ１７，ステップＳ１８及びステップＳ２３の各々においてその判定結果を、セル移行処理を制御するセル移行制御部（図示せず）だけでなく判定条件制御部５にも通知する。また、有効セル判定部４により通知される判定結果には、その判定がなされた時刻の情報が含まれる。
【００３６】
判定条件制御部５は、有効セル判定部４からの判定結果を基に、有効セルと判定されているセルが連続して有効セルと判定された時間（連続有効判定時間）を求め、この連続有効判定時間に応じて本実施例による移動通信端末装置の移動状態を識別する。そして、判定条件制御部５は、識別された移動状態に応じて有効セル判定部４における判定条件を制御する。
【００３７】
より具体的には、判定条件制御部５は、移動状態が停止／低速移動状態であると認識したならば、判定条件が通常の場合（例えば、図２のステップＳ２１における後方保護段数がＭの場合）と比較して、当該セルが無効セルと判定されにくくなるよう、判定条件を可変制御する。また、判定条件制御部５は、移動状態が高速移動状態であると認識したならば、判定条件が通常の場合（例えば、図２のステップＳ１６における前方保護段数がＮの場合）と比較して、有効セルでない有効セル候補が有効セルと判定されやすくなるよう、判定条件を可変制御する。
【００３８】
次に、図１に示した判定条件制御部５の判定条件制御方法について図面を用いて説明する。図３は既に有効セルと判定されている判定対象セルの受信電力レベルＰrxが閾値Ｐth未満になった場合における図１の判定条件制御部５の動作を示すフローチャートである。
【００３９】
図１及び２において、有効セル判定部４は、既に有効セルと判定されている判定対象セルの受信電力レベルＰrxが閾値Ｐthを下回った場合（図２のステップＳ１９，Ｙｅｓ）、図３に示したフローに従った動作を行うよう判定条件制御部５に指示を送出する。
【００４０】
したがって、図１〜３において、既に有効セルと判定されている判定対象セルの受信電力レベルＰrxが閾値Ｐthを下回った場合（図２のステップＳ１９，Ｙｅｓ）、有効セル判定部４からの指示に応答して判定条件制御部５は、まず、その有効セルの連続有効判定時間Ｔactiveと所定の判定時間閾値Ｔmax とを比較する（図３のステップＳ３１）。
【００４１】
その結果、その有効セルの連続有効判定時間Ｔactiveが閾値Ｔmax 以上であれば（図３のステップＳ３１，Ｙｅｓ）、移動局はその有効セル内にとどまっており移動局の移動状態は停止／低速移動状態であると判断されるので、判定条件制御部５は、図２のステップＳ２１においてその有効セル用の無効判定カウント値と比較される後方保護段数をＭからＭ＋α（α＞０）に変更するよう制御をなす（図３のステップＳ３２）。
【００４２】
したがって、判定条件制御部５の制御に従って有効セル判定部４は、その有効セルが判定対象セルとなるときに後方保護段数をＭ＋αに設定するので、後方保護段数がＭの場合と比べ、その有効セルが無効セルと判定されにくくなる。なお、その有効セル以外のセルが判定対象セルとなるときの後方保護段数は、Ｍ＋αでなくＭのままである。
【００４３】
一方、その有効セルの連続有効判定時間Ｔactiveが閾値Ｔmax 未満であれば（図３のステップＳ３１，Ｎｏ）、後方保護段数の変更は行わない（図３のステップＳ３３）。したがって、有効セル判定部４は、判定対象セルがどのセルであろうと、図２のステップＳ２１において比較に用いる後方保護段数をＭに設定する。
【００４４】
このように、同一セルを長時間連続して有効セルとして判定している場合には、判定条件制御部５は、移動局は停止状態もしくは低速移動状態にあると認識し、そのセルを有効セルとして保持するように有効セル判定部４における判定条件を可変制御する。なお、連続有効判定時間の代わりに、有効セルと判定されているセルが連続して有効セルと判定された回数（連続有効判定回数）を用いるようにしてもよいことは勿論である。
【００４５】
図４は受信電力レベルＰrxが閾値Ｐth以上のセルが検出された場合における図１の判定条件制御部５の動作を示すフローチャートである。
【００４６】
図１及び２において、有効セル判定部４は、受信電力レベルＰrxが閾値Ｐth以上のセルが検出された場合（図２のステップＳ１２，Ｙｅｓ）、図４に示したフローに従った動作を行うよう判定条件制御部５に指示を送出する。
【００４７】
したがって、図１，２及び４において、受信電力レベルＰrxが閾値Ｐth以上のセルが検出された場合（図２のステップＳ１２，Ｙｅｓ）、有効セル判定部４からの指示に応答して判定条件制御部５は、まず、有効セルの連続有効判定時間Ｔactiveと閾値Ｔmax とを比較する（図４のステップＳ４１）。ここで、有効セルが複数存在している場合には、判定条件制御部５は、例えば、連続有効判定時間Ｔactiveが最も長い有効セルを選択し、その有効セルの連続有効判定時間Ｔactiveと閾値Ｔmax とを比較するようにする。
【００４８】
その有効セルの連続有効判定時間Ｔactiveが閾値Ｔmax 未満であれば（図４のステップＳ４１，Ｎｏ）、判定条件制御部５は、過去の所定期間Ｔpast内のその有効セルの連続有効判定時間の平均である平均連続有効判定時間Ｔave と所定の判定時間閾値Ｔmin とを比較する（図４のステップＳ４２）。
【００４９】
その有効セルの平均連続有効判定時間Ｔave が閾値Ｔmin 未満であれば（図４のステップＳ４２，Ｎｏ）、過去の期間Ｔpastにおいてその有効セルが短時間で無効セルと判定されており移動局の移動状態は高速移動状態であると判断されるので、判定条件制御部５は、図２のステップＳ１６における比較に用いられる前方保護段数をＮからＮ−β（β＞０）に変更するよう制御をなす（図４のステップＳ４４）。
【００５０】
したがって、判定条件制御部５の制御に従って有効セル判定部４は、前方保護段数をＮ−βに設定するので、前方保護段数がＮの場合と比べて、受信電力レベルＰrxが閾値Ｐth以上の有効セル候補が有効セルと判定されやすくなる。
【００５１】
一方、その有効セルの連続有効判定時間Ｔactiveが閾値Ｔmax 以上であれば（図４のステップＳ４１，Ｙｅｓ）、もしくは、その有効セルの平均連続有効判定時間Ｔave が閾値Ｔmin 以上であれば（図４のステップＳ４１，Ｙｅｓ）、前方保護段数の変更は行わない（図４のステップＳ４３）。したがって、有効セル判定部４は、前方保護段数をＮに設定する。
【００５２】
このように、短時間で有効セルを変更している場合には、判定条件制御部５は、移動局は高速移動状態にあると認識し、受信電力レベルＰrxが閾値Ｐth以上の有効セル候補が速やかに有効セルとして追加されるように有効セル判定部４における判定条件を可変制御する。なお、図３と同様に、連続有効判定時間の代わりに、有効セルと判定されているセルが連続して有効セルと判定された回数（連続有効判定回数）を用いるようにしてもよいことは勿論である。また、平均連続有効判定時間の代わりに、過去の期間Ｔpast内の有効セルの連続有効判定回数の平均である平均連続有効判定回数を用いるようにしてもよい。
【００５３】
以上説明したように、本発明の実施例では、有効セルの連続有効判定時間を監視することにより、移動局の移動状態を識別してセルサーチにおける有効セル判定の判定条件を制御している。
【００５４】
有効セルの連続有効判定時間が長い場合、すなわち、その有効セルが長時間連続して有効判定されている場合、移動局の移動速度は遅くその有効セル内にとどまっている可能性が高い。したがって、その後もその有効セルが有効判定されるように、有効セル判定の判定条件を可変制御している。これにより、シャドウイング等による有効セルの判定の誤りが抑制されるので、移動局が停止／低速移動状態にあるときの通信品質の劣化を防ぐことができる。
【００５５】
また、有効セルの連続有効判定時間が短い場合、すなわち、短時間で有効セルが変更されている場合、移動局の移動速度は速く移動局は異なるセル間を移動している可能性が高い。したがって、セルサーチにより新たに検出されたセルが有効セルとして追加されるように、有効セル判定の判定条件を可変制御している。これにより、セル移行処理を迅速に行うことが可能となるので、移動局が高速移動状態にあるときの通信品質の劣化を防ぐことができる。
【００５６】
このように、本実施例では、通信品質を良好に保つことができるので、送信電力制御により移動局の送信電力を低減することが可能である。したがって、移動局の消費電力の低減を図ることができる。
【００５７】
次に、本発明の他の実施例について図面を用いて説明する。本発明の他の実施例による移動通信端末装置の復調回路のセルサーチ処理部の構成は図１に示したセルサーチ処理部の構成と同様であるが、判定条件制御部５の動作が異なっている。
【００５８】
本発明の他の実施例では、判定条件制御部５は、有効セルの連続有効判定時間に応じて移動局の移動状態を識別するのではなく、受信電力レベルに応じて移動局の移動状態を識別し、有効セル判定部４における判定条件を制御する。
【００５９】
本発明の他の実施例による判定条件制御部５の動作を示すフローチャートが図５に示されている。図５に示した所定の受信電力レベル閾値Ｐth1 ，Ｐth2 及び図２に示した所定の受信電力レベル閾値Ｐthは、Ｐth1 ＞Ｐth2 ＞Ｐthの関係を満たすものとする。
【００６０】
図１及び２において、有効セル判定部４は、受信電力レベルＰｒｘが閾値Ｐth以上のセルが検出された場合（図２のステップＳ１２，Ｙｅｓ）、図５に示したフローに従った動作を行うよう判定条件制御部５に指示を送出すると共に、そのセルとその受信電力レベルＰｒｘとを判定条件制御部５に通知する。
【００６１】
したがって、図１，２及び５において、受信電力レベルＰｒｘが閾値Ｐth以上のセルが検出された場合（図２のステップＳ１２，Ｙｅｓ）、有効セル判定部４からの指示に応答して判定条件制御部５は、まず、有効セル判定部４から通知された受信電力レベルＰｒｘと閾値Ｐth1 とを比較する（図５のステップＳ５１）。
【００６２】
受信電力レベルＰｒｘが閾値Ｐth1 以上であれば（図５のステップＳ５１，Ｙｅｓ）、有効セル判定部４から通知されたセルの受信電力レベルは十分大きく移動局の移動状態は停止／低速移動状態であると判断されるので、判定条件制御部５は、図２のステップＳ２１においてそのセル用の無効判定カウント値と比較される後方保護段数をＭからＭ＋α（α＞０）に変更するよう制御をなす（図５のステップＳ５２）。また、前方保護段数の変更は行わない（図５のステップＳ５２）。
【００６３】
したがって、判定条件制御部５の制御に従って有効セル判定部４は、そのセルが判定対象セルとなるときに後方保護段数をＭ＋αに設定するので、後方保護段数がＭの場合と比べ、そのセルを有効セルとして保持しやすくなる。なお、そのセル以外のセルが判定対象セルとなるときの後方保護段数は、Ｍ＋αでなくＭのままである。また、判定条件制御部５の制御に従って有効セル判定部４は、前方保護段数をＮに設定する。
【００６４】
一方、受信電力レベルＰｒｘが閾値Ｐth1 未満であれば（図５のステップＳ５１，Ｎｏ）、判定条件制御部５は、受信電力レベルＰｒｘと閾値Ｐth2 とを比較する（図５のステップＳ５３）。
【００６５】
受信電力レベルＰｒｘが閾値Ｐth2 以上であれば（図５のステップＳ５３，Ｙｅｓ）、後方保護段数であるＭと前方保護段数であるＮを保持する（図５のステップＳ５４）。したがって、有効セル判定部４は、後方保護段数をＭに、前方保護段数をＮに設定する。
【００６６】
これに対して、受信電力レベルＰｒｘが閾値Ｐth2 未満であれば（図５のステップＳ５３，Ｎｏ）、有効セル判定部４から通知されたセルは受信電力レベルの弱い不安定なセルであり移動局の移動状態は高速移動状態であると判断されるので、判定条件制御部５は、図２のステップＳ１６における比較に用いられる前方保護段数をＮからＮ−β（β＞０）に変更するよう制御をなす（図５のステップＳ５５）。また、後方保護段数の変更は行わない（図５のステップＳ５５）。
【００６７】
したがって、判定条件制御部５の制御に従って有効セル判定部４は、前方保護段数をＮ−βに設定するので、前方保護段数がＮの場合と比べて、受信電力レベルＰｒｘが閾値Ｐth以上の新たに検出されるセルが有効セルとして追加されやすくなる。また、判定条件制御部５の制御に従って有効セル判定部４は、後方保護段数をＭに設定する。
【００６８】
以上説明したように、図５に示した本発明の他の実施例では、受信電力レベルに応じて移動局の移動状態を識別してセルサーチにおける有効セル判定の判定条件を制御している。これによっても、図３及び４と同様の効果が得られることは明らかである。
【００６９】
なお、上記図２〜５に示した各フローチャートに従った処理動作は、予めＲＯＭ等の記憶媒体に格納されたプログラムを、ＣＰＵ（制御部）となるコンピュータに読み取らせて実行せしめることにより、実現できることは勿論である。
【００７０】
また、図３〜５では、判定条件制御部５は、セルサーチにおける有効セル判定の判定条件として前方保護段数及び後方保護段数を可変制御しているが、代わりに判定条件として受信電力レベル閾値Ｐthを可変制御することとしても同様の効果が得られる。すなわち、有効セルを保持するように制御する際には、判定条件制御部５はその有効セルに対する閾値Ｐthを低下させるよう制御すればよい。また、新たに検出されるセルを素早く有効セルとして追加するように制御する際には、判定条件制御部５は有効セル候補に対する閾値Ｐthを低下させるよう制御すればよい。
【００７１】
また、本発明の各実施例では、連続有効判定時間または受信電力レベルを基に、移動局の移動状態を識別して有効セル判定の判定条件を制御しているが、移動状態を識別する方法に別の方法を採用してもよい。例えば、周知の技術である遅延プロファイルのピークタイミングの変動によって移動状態を識別することも可能であるし、受信電力のフェージングピッチを測定することにより移動状態を識別することも可能である。
【００７２】
【発明の効果】
本発明による効果は、良好な通信品質を保持し消費電力を低減することができることである。その理由は、移動局の移動状態に応じてセルサーチにおける有効セル判定の判定条件を可変制御するようにしているためであり、現在の移動局の移動状態に応じた適切な判定が行えるように判定条件を可変制御することができるためである。これにより、通信品質の劣化が抑制され通信品質を良好に保つことができるので、送信電力制御により移動局の送信電力を低減させることが可能である。したがって、移動局の消費電力の低減を図ることができる。
【図面の簡単な説明】
【図１】本発明の実施例による移動通信端末装置の復調回路のセルサーチ処理部の構成を示す図である。
【図２】図１の有効セル判定部４の動作を示すフローチャートである。
【図３】既に有効セルと判定されている判定対象セルの受信電力レベルＰrxが閾値Ｐth未満になった場合における図１の判定条件制御部５の動作を示すフローチャートである。
【図４】受信電力レベルＰrxが閾値Ｐth以上のセルが検出された場合における図１の判定条件制御部５の動作を示すフローチャートである。
【図５】本発明の他の実施例による判定条件制御部５の動作を示すフローチャートである。
【図６】セルラ移動通信システムにおける移動局の復調回路のセルサーチ処理部の構成を示す図である。
【符号の説明】
１    遅延プロファイル計算部
２    拡散コード・拡散タイミング検出部
３    拡散コード生成部
４    有効セル判定部
５    判定条件制御部
【図１】
0004089245.tif 000002
【図２】
0004089245.tif 000003
【図３】
0004089245.tif 000004
【図４】
0004089245.tif 000005
【図５】
0004089245.tif 000006
【図６】
0004089245.tif 000007